(57)【要約】【課題】ユーザに生じる不都合を防止することが可能な注文受付システム、注文受付端末装置および電源制御方法を提供する。【解決手段】注文受付端末装置１は、充電器２と接続されると、充電用電圧を受け付ける。充電回路５が、充電器２から供給された充電用電圧を検出すると、電源制御回路６は、電池３の電圧を所定の電圧に変圧し、その所定の電圧をメイン回路７に供給する。メイン回路７は、所定の電圧が供給されると、注文を受け付ける処理を実行する。【選択図】図１
2008046863.tif 000002
【特許請求の範囲】
【請求項１】
電池を電源として使用するとともに注文を受け付ける注文受付端末装置と、前記注文受付端末装置と接続された際に前記注文受付端末装置に充電用電圧を供給して前記電池を充電する充電器と、を含む注文受付システムであって、
前記注文受付端末装置は、
所定の電圧が供給された場合に、前記注文を受け付ける処理を実行する処理回路と、
前記充電器から供給された前記充電用電圧を検出する検出回路と、
前記検出回路が前記充電用電圧を検出した場合に、前記電池の電圧を前記所定の電圧に変圧し、該所定の電圧を前記処理回路に供給する電源制御回路と、を含む注文受付システム。
【請求項２】
請求項１に記載の注文受付システムにおいて、
前記検出回路は、前記充電用電圧を検出したとき、充電監視信号を前記電源制御回路に提供し、
前記処理回路は、前記所定の電圧を受け付けると、前記電源制御回路に電源ロック信号を提供し始め、
前記電源制御回路は、少なくとも前記充電監視信号と前記電源ロック信号のいずれか一方を受け付けた場合に、前記電池の電圧を前記所定の電圧に変圧し、該所定の電圧を前記処理回路に供給する、注文受付システム。
【請求項３】
電池を電源として使用するとともに注文を受け付ける注文受付端末装置と、前記注文受付端末装置と接続された際に前記注文受付端末装置に充電用電圧を供給して前記電池を充電する充電器と、を含む注文受付システムであって、
前記充電器は、
前記充電用電圧を前記注文受付端末装置に供給したことを検出する充電検出回路と、
前記検出回路が前記充電用電圧を前記注文受付端末装置に供給したことを検出した場合に、充電監視信号を前記注文受付端末装置に提供する信号生成回路と、を含み、
前記注文受付端末装置は、
所定の電圧が供給された場合に、前記注文を受け付ける処理を実行する処理回路と、
前記信号生成回路から前記充電監視信号を受け付けた場合に、前記電池の電圧を前記所定の電圧に変圧し、該所定の電圧を前記処理回路に供給する電源制御回路と、を含む、注文受付システム。
【請求項４】
請求項３に記載の注文受付システムにおいて、
前記処理回路は、前記所定の電圧を受け付けると、前記電源制御回路に電源ロック信号を提供し始め、
前記電源制御回路は、少なくとも前記充電監視信号と前記電源ロック信号のいずれか一方を受け付けた場合に、前記電池の電圧を前記所定の電圧に変圧し、該所定の電圧を前記処理回路に供給する、注文受付システム。
【請求項５】
電池を電源として使用するとともに注文を受け付け、また、充電用電圧を供給する充電器と接続可能であり、前記充電器と接続された際に前記充電用電圧を受け付けて前記電池を充電する注文受付端末装置であって、
所定の電圧が供給された場合に、前記注文を受け付ける処理を実行する処理回路と、
前記充電器から供給された前記充電用電圧を検出する検出回路と、
前記検出回路が前記充電用電圧を検出した場合に、前記電池の電圧を前記所定の電圧に変圧し、該所定の電圧を前記処理回路に供給する電源制御回路と、を含む注文受付端末装置。
【請求項６】
請求項５に記載の注文受付端末装置において、
前記検出回路は、前記充電用電圧を検出したとき、充電監視信号を、前記電源制御回路に提供し、
前記処理回路は、前記所定の電圧を受け付けると、前記電源制御回路に電源ロック信号を提供し始め、
前記電源制御回路は、少なくとも前記充電監視信号と前記電源ロック信号のいずれか一方を受け付けた場合に、前記電池の電圧を前記所定の電圧に変圧し、該所定の電圧を前記処理回路に供給する、注文受付端末装置。
【請求項７】
所定の電圧が供給された場合に注文を受け付ける処理を実行する処理回路を含むとともに電池を電源として使用する注文受付端末装置と、前記注文受付端末装置と接続された際に前記注文受付端末装置に充電用電圧を供給して前記電池を充電する充電器と、を含む注文受付システムが行う電源制御方法であって、
前記注文受付端末装置が、前記充電器から供給された前記充電用電圧を検出する検出ステップと、
前記注文受付端末装置が、前記充電用電圧を検出した場合に、前記電池の電圧を前記所定の電圧に変圧し、該所定の電圧を前記処理回路に供給する電源制御ステップと、を含む電源制御方法。
【請求項８】
所定の電圧が供給された場合に注文を受け付ける処理を実行する処理回路を含むとともに電池を電源として使用する注文受付端末装置と、前記注文受付端末装置と接続された際に前記注文受付端末装置に充電用電圧を供給して前記電池を充電する充電器と、を含む注文受付システムが行う電源制御方法であって、
前記充電器が、前記充電用電圧を前記注文受付端末装置に供給したことを検出する充電検出ステップと、
前記充電器が、前記充電用電圧を前記注文受付端末装置に供給したことを検出した場合に、充電監視信号を前記注文受付端末装置に提供する提供ステップと、
前記注文受付端末装置が、前記充電監視信号を受け付けた場合に、前記電池の電圧を前記所定の電圧に変圧し、該所定の電圧を前記処理回路に供給する電源制御ステップと、を含む電源制御方法。
【請求項９】
所定の電圧が供給された場合に注文を受け付ける処理を実行する処理回路を含み、電池を電源として使用し、また、充電用電圧を供給する充電器と接続可能であり、前記充電器と接続された際に前記充電用電圧を受け付けて前記電池を充電する注文受付端末装置が行う電源制御方法であって、
前記充電器から供給された前記充電用電圧を検出する検出ステップと、
前記充電用電圧が検出された場合に、前記電池の電圧を前記所定の電圧に変圧し、該所定の電圧を前記処理回路に供給する電源制御ステップと、を含む電源制御方法。
【発明の詳細な説明】
【技術分野】
【０００１】
本発明は、注文受付システム、注文受付端末装置および電源制御方法に関し、特には、お客自身が注文を入力できる注文受付システム、注文受付端末装置およびその電源制御方法に関する。
【背景技術】
【０００２】
従来、レストラン等の飲食店では、お客自身が注文を入力できる注文受付端末装置（以下「セルフオーダー端末」と称する。）が使用されている。
【０００３】
従来のセルフオーダー端末は、飲食店の営業時間中は常時動作することが要求され、一方、客席においては、複数の客がメニューを見ることができるように、可搬性を有することが要求されている。このため、従来のセルフオーダー端末は、通常は、充電器に接続され、お客が客席内でセルフオーダー端末を回し見るときは、電池で動作することが要求される。
【０００４】
従来のセルフオーダー端末は、メカスイッチを電源スイッチとして使用している。例えば、電源電圧および電源電流を遮断可能なオープンクローズ式のメカスイッチを、電源スイッチとして用いているセルフオーダー端末がある。また、電源ＯＮのトリガ信号をメカスイッチから受け付け、電源ＯＦＦをソフトウェアで実行するセルフオーダー端末もある。
【０００５】
セルフオーダー端末の電源スイッチは、セルフオーダー端末の表面に露出しているか、または、カバーによって隠されている。
【０００６】
また、特許文献１（特開２００４−１３３７２２号公報）には、バッテリの取り付けに伴い動作を開始し、バッテリの取り外しに伴い動作を停止するセルフオーダー端末が記載されている。
【特許文献１】特開２００４−１３３７２２号公報
【発明の開示】
【発明が解決しようとする課題】
【０００７】
電源スイッチがセルフオーダー端末の表面に露出している場合、お客が、注文を入力する際に、誤ってあるいは故意に電源スイッチを操作することにより、電源断によりセルフオーダー端末の動作停止または誤動作が引き起こされる。この場合、お客（ユーザ）にはセルフオーダー端末を使用できなくなるという不都合が生じる。
【０００８】
電源スイッチがカバーによって隠されている場合、お客によるいたずら等の誤操作を防止することが可能になる。しかしながら、店員（ユーザ）には、カバーを外してから電源スイッチを操作しなければならないという不都合が生じる。
【０００９】
また、バッテリの取り付けおよび取り外しによって、セルフオーダー端末の動作を制御する場合、店員（ユーザ）には、バッテリを管理しなければならないという不都合が生じる。
【００１０】
本発明の目的は、ユーザに生じる不都合を防止することが可能な注文受付システム、注文受付端末装置および電源制御方法を提供することである。
【課題を解決するための手段】
【００１１】
上記目的を達成するために、本発明の注文受付システムは、電池を電源として使用するとともに注文を受け付ける注文受付端末装置と、前記注文受付端末装置と接続された際に前記注文受付端末装置に充電用電圧を供給して前記電池を充電する充電器と、を含む注文受付システムであって、前記注文受付端末装置は、所定の電圧が供給された場合に、前記注文を受け付ける処理を実行する処理回路と、前記充電器から供給された前記充電用電圧を検出する検出回路と、前記検出回路が前記充電用電圧を検出した場合に、前記電池の電圧を前記所定の電圧に変圧し、該所定の電圧を前記処理回路に供給する電源制御回路と、を含む。
【００１２】
また、本発明の注文受付端末装置は、電池を電源として使用するとともに注文を受け付け、また、充電用電圧を供給する充電器と接続可能であり、前記充電器と接続された際に前記充電用電圧を受け付けて前記電池を充電する注文受付端末装置であって、所定の電圧が供給された場合に、前記注文を受け付ける処理を実行する処理回路と、前記充電器から供給された前記充電用電圧を検出する検出回路と、前記検出回路が前記充電用電圧を検出した場合に、前記電池の電圧を前記所定の電圧に変圧し、該所定の電圧を前記処理回路に供給する電源制御回路と、を含む。
【００１３】
また、本発明の電源制御方法は、所定の電圧が供給された場合に注文を受け付ける処理を実行する処理回路を含むとともに電池を電源として使用する注文受付端末装置と、前記注文受付端末装置と接続された際に前記注文受付端末装置に充電用電圧を供給して前記電池を充電する充電器と、を含む注文受付システムが行う電源制御方法であって、前記注文受付端末装置が、前記充電器から供給された前記充電用電圧を検出する検出ステップと、前記注文受付端末装置が、前記充電用電圧を検出した場合に、前記電池の電圧を前記所定の電圧に変圧し、該所定の電圧を前記処理回路に供給する電源制御ステップと、を含む。
【００１４】
また、本発明の電源制御方法は、所定の電圧が供給された場合に注文を受け付ける処理を実行する処理回路を含み、電池を電源として使用し、また、充電用電圧を供給する充電器と接続可能であり、前記充電器と接続された際に前記充電用電圧を受け付けて前記電池を充電する注文受付端末装置が行う電源制御方法であって、前記充電器から供給された前記充電用電圧を検出する検出ステップと、前記充電用電圧が検出された場合に、前記電池の電圧を前記所定の電圧に変圧し、該所定の電圧を前記処理回路に供給する電源制御ステップと、を含む。
【００１５】
上記発明によれば、注文受付端末装置は、充電器と接続されると、充電用電圧を受け付ける。注文受付端末装置は、充電器から供給された充電用電圧を検出すると、電池の電圧を所定の電圧に変圧し、その所定の電圧を処理回路に供給する。処理回路は、所定の電圧が供給されると、注文を受け付ける処理を実行する。よって、充電用電圧の検出が、処理回路の動作を開始させるトリガとなる。
【００１６】
このため、従来、注文を受け付ける処理を開始させるトリガを作成していたメカ機構の電源スイッチを、不要にすることができる。また、従来のように、注文受付端末装置から取り外されたバッテリを管理する必要がなくなる。よって、メカ機構の電源スイッチが存在することに起因するユーザの不都合、および、バッテリを管理することに起因するユーザの不都合を防止することが可能になる。
【００１７】
なお、前記検出回路は、前記充電用電圧を検出したとき、充電監視信号を、前記電源制御回路に提供し、前記処理回路は、前記所定の電圧を受け付けると、前記電源制御回路に電源ロック信号を提供し始め、前記電源制御回路は、少なくとも前記充電監視信号と前記電源ロック信号のいずれか一方を受け付けた場合に、前記電池の電圧を前記所定の電圧に変圧し、該所定の電圧を前記処理回路に供給することが望ましい。
【００１８】
上記発明によれば、処理回路に所定の電圧が供給された後に注文受付端末装置が充電器と分離されても、処理回路が電源ロック信号を電源制御回路に提供していれば、処理回路の処理が停止することを防止できる。このため、お客は、処理回路が動作している注文受付端末装置を、充電器から分離した状態で使用することが可能になる。
【００１９】
また、本発明の注文受付システムは、電池を電源として使用するとともに注文を受け付ける注文受付端末装置と、前記注文受付端末装置と接続された際に前記注文受付端末装置に充電用電圧を供給して前記電池を充電する充電器と、を含む注文受付システムであって、前記充電器は、前記充電用電圧を前記注文受付端末装置に供給したことを検出する充電検出回路と、前記検出回路が前記充電用電圧を前記注文受付端末装置に供給したことを検出した場合に、充電監視信号を前記注文受付端末装置に提供する信号生成回路と、を含み、前記注文受付端末装置は、所定の電圧が供給された場合に、前記注文を受け付ける処理を実行する処理回路と、前記信号生成回路から前記充電監視信号を受け付けた場合に、前記電池の電圧を前記所定の電圧に変圧し、該所定の電圧を前記処理回路に供給する電源制御回路と、を含む。
【００２０】
また、本発明の電源制御方法は、所定の電圧が供給された場合に注文を受け付ける処理を実行する処理回路を含むとともに電池を電源として使用する注文受付端末装置と、前記注文受付端末装置と接続された際に前記注文受付端末装置に充電用電圧を供給して前記電池を充電する充電器と、を含む注文受付システムが行う電源制御方法であって、前記充電器が、前記充電用電圧を前記注文受付端末装置に供給したことを検出する充電検出ステップと、前記充電器が、前記充電用電圧を前記注文受付端末装置に供給したことを検出した場合に、充電監視信号を前記注文受付端末装置に提供する提供ステップと、前記注文受付端末装置が、前記充電監視信号を受け付けた場合に、前記電池の電圧を前記所定の電圧に変圧し、該所定の電圧を前記処理回路に供給する電源制御ステップと、を含む。
【００２１】
上記発明によれば、充電器は、注文受付端末装置と接続された際に注文受付端末装置に充電用電圧を供給し、充電用電圧を注文受付端末装置に供給したことを検出すると、充電監視信号を注文受付端末装置に提供する。注文受付端末装置は、充電監視信号を受け付けると、電池の電圧を所定の電圧に変圧し、その所定の電圧を処理回路に供給する。処理回路は、所定の電圧が供給されると、注文を受け付ける処理を実行する。よって、注文受付端末装置への充電用電圧の供給の検出が、処理回路の動作を開始させるトリガとなる。
【００２２】
このため、従来、注文を受け付ける処理を開始させるトリガを作成していたメカスイッチである電源スイッチを、不要にすることができる。また、従来のように、注文受付端末装置から取り外されたバッテリを管理する必要がなくなる。よって、メカスイッチの電源スイッチが存在することに起因するユーザの不都合、および、バッテリを管理することに起因するユーザの不都合を防止することが可能になる。
【００２３】
なお、前記処理回路は、前記所定の電圧を受け付けると、前記電源制御回路に電源ロック信号を提供し始め、前記電源制御回路は、少なくとも前記充電監視信号と前記電源ロック信号のいずれか一方を受け付けた場合に、前記電池の電圧を前記所定の電圧に変圧し、該所定の電圧を前記処理回路に供給することが望ましい。
【００２４】
上記発明によれば、処理回路に所定の電圧が供給された後に注文受付端末装置が充電器と分離されても、処理回路が電源ロック信号を電源制御回路に提供していれば、処理回路の処理が停止することを防止できる。このため、お客は、処理回路が動作している注文受付端末装置を、充電器から分離した状態で使用することが可能になる。
【発明の効果】
【００２５】
本発明によれば、注文受付端末装置のユーザの不都合を防止することが可能になる。
【発明を実施するための最良の形態】
【００２６】
以下、本発明の実施例を図面を参照して説明する。
【００２７】
図１は、本発明の一実施例の注文受付システムを示したブロック図である。この注文受付システムは、居酒屋またはレストラン等の飲食店の各テーブルに備えられ、食事に来たお客自身が入力した注文を受け付ける。
【００２８】
図１において、注文受付システムは、注文受付端末装置１と、充電器２とを含む。
【００２９】
注文受付端末装置１は、電池３を電源として使用するとともに、ユーザから入力された注文を受け付ける。
【００３０】
充電器２は、注文受付端末装置１と着脱自在であり、注文受付端末装置１と接続された際に、注文受付端末装置１に充電用電圧を供給して電池３を充電する。
【００３１】
注文受付端末装置１は、電池３と、充電端子４と、充電回路５と、電源制御回路６と、メイン回路７と、入出力装置８と、通信インタフェース９と、を含む。電源制御回路６は、ＯＲ回路６ａと、電源回路６ｂと、を含む。
【００３２】
電池３は、充放電可能な２次電池である。
【００３３】
充電端子４は、注文受付端末装置１が充電器２と接続された際に、充電器２から供給された充電用電圧を受け付ける。
【００３４】
充電回路５は、検出回路の一例であり、充電器２から供給された充電用電圧を検出する。
【００３５】
具体的には、充電回路５は、充電端子４の電圧が特定電圧（例えば、特定電圧は、予め定められている充電用電圧の値とする。）以上であると、つまり、充電端子４が充電器２から充電用電圧を受け付けると、充電用電圧を検出した旨の充電監視信号を、電源制御回路６（具体的には、ＯＲ回路６ａ）に提供する。
【００３６】
また、充電回路５は、充電端子４の電圧が特定電圧以上のとき、充電端子４が受け付けた充電用電圧を用いて電池３を充電する。
【００３７】
なお、充電回路５は、電池３と異なる待機用電源（不図示）を電源として用い、常に、電源が供給されている。
【００３８】
電源制御回路６は、充電回路５が充電用電圧を検出した場合に、電池３の電圧を所定の電圧に変圧し、その所定の電圧をメイン回路７に供給する。例えば、電源制御回路６は、充電監視信号を受け付けているとき、電池３の電圧を所定の電圧に変圧し、その所定の電圧をメイン回路７に供給する。なお、所定の電圧は、メイン回路７が動作できる電圧である。
【００３９】
メイン回路７は、入出力装置８および通信インタフェース９を制御するＣＰＵ等の回路である。
【００４０】
メイン回路７は、処理回路の一例であり、所定の電圧が供給された場合に、注文を受け付ける処理を実行する。例えば、メイン回路７は、所定の電圧が供給された場合に、注文受付端末装置１のユーザ（具体的には、お店のお客）が入力した注文を入出力装置８から受け付け、その注文を通信インタフェース９からホスト（不図示）に送信する処理を実行可能となる。
【００４１】
また、メイン回路７は、所定の電圧を受け付けると、電源制御回路６（具体的には、ＯＲ回路６ａ）に、電源ロック信号を提供し始める。
【００４２】
電源制御回路６は、電源ロック信号を受け付けているとき、電池３の電圧を所定の電圧に変圧し、その所定の電圧をメイン回路７に供給する。
【００４３】
ＯＲ回路６ａは、充電回路５から充電監視信号を受け付け、メイン回路７から電源ロック信号を受け付ける。ＯＲ回路６ａは、少なくとも充電監視信号と電源ロック信号のいずれか一方を受け付けた場合に、電源制御信号を電源回路６ｂに提供する。
【００４４】
なお、ＯＲ回路６ａは、電池３と異なる待機用電源（不図示）を電源として用い、常に、電源が供給されている。
【００４５】
電源回路６ｂは、例えば、イネーブル信号を受け付けるレギュレータＩＣである。電源回路６ｂは、ＯＲ回路６ａからの電源制御信号を、イネーブル信号として用いる。電源回路６ｂは、ＯＲ回路６ａから電源制御信号を受け付けると、電池３の電圧を所定の電圧に変圧し、その所定の電圧をメイン回路７に供給する。
【００４６】
なお、メイン回路７は、例えば、入出力装置８から、店員のみが知っているパスワードとともに電源ＯＦＦ指示を受け付けた場合に、電源ロック信号を停止する。このため、パスワードを知らないお客が電源ロック信号を停止することを防止できる。
【００４７】
ＯＲ回路６ａは、少なくとも充電監視信号と電源ロック信号のいずれか一方を受け付けた場合に、電源制御信号を電源回路６ｂに提供する。このため、電源ロック信号が停止されても、充電監視信号が存在すれば、ＯＲ回路６ａは、電源制御信号を出力してしまう。
【００４８】
よって、本実施例では、電源ロック信号の停止に伴って、メイン回路７が動作を停止する確率が高くなるように、充電回路５は、充電端子４が充電器２から充電用電圧を受け付けると、一定の時間だけ充電監視信号を出力する。例えば、充電回路５は、ワンショット回路を用いて、一定の時間幅の充電監視信号を生成する。
【００４９】
このため、注文受付端末装置１が充電器２と接続され続けても、充電監視信号が出力された時点から一定時間経過すると、充電監視信号は停止する。したがって、充電監視信号が停止している状況で、電源ロック信号が停止されると、電源ロック信号の停止に伴って、メイン回路７が動作を停止する。
【００５０】
入出力装置８は、メイン回路７によって制御され、お店のメニューを表示し、また、注文受付端末装置１のユーザ（具体的には、お店のお客）が入力した注文を受け付け、その受け付けた注文をメイン回路７に提供する。
【００５１】
通信インタフェース９は、メイン回路７によって制御され、入出力装置８が受け付けた注文をホスト（不図示）に送信する。
【００５２】
次に、動作を説明する。
【００５３】
図２は、注文受付端末装置１の電源制御動作を説明するためのタイムチャートである。以下、図２を参照して、注文受付端末装置１の電源制御動作を説明する。
【００５４】
図２において、所定の電圧がメイン回路７に供給されていない状況（「電源ＯＦＦ」とも称する。）で、注文受付端末装置１が充電器２と接続されると、充電端子４は、充電器２から充電用電圧を受け付ける（Ｔ１：充電器装着）。
【００５５】
充電端子４が充電器２から充電用電圧を受け付けると、充電回路５は、一定時間の間、充電監視信号をＯＲ回路６ａに提供する。ＯＲ回路６ａは、充電監視信号を受け付けている間、電源制御信号を電源回路６ｂに提供する。電源回路６ｂは、電源制御信号を受け付けると、電池３の電圧を所定の電圧に変圧し、その所定の電圧をメイン回路７に供給する（Ｔ２：電源ＯＮ）。
【００５６】
メイン回路７は、所定の電圧を受け付けると、注文を受け付ける処理を実行するとともに、電源ロック信号をＯＲ回路６ａに提供し始める（Ｔ３）。
【００５７】
ＯＲ回路６ａが電源ロック信号を受け付けている状況では、注文受付端末装置１が充電器２から取り外されても、ＯＲ回路６ａは、電源制御信号を電源回路６ｂに提供し続け、このため、メイン回路７は、動作を継続する（Ｔ４：充電器解除〜Ｔ５：充電器装着）。
【００５８】
メイン回路７の動作を停止するときは、店員は、お客に知られていないパスワードとともに電源ＯＦＦ指示を入出力装置８に入力する。メイン回路７は、入出力装置８から、パスワードとともに電源ＯＦＦ指示を受け付けると、電源ロック信号を停止する。電源ロック信号が停止すると、ＯＲ回路６ａは電源制御信号を停止する。なお、このとき、充電監視信号は停止しているとする。このため、電源回路６ｂは、所定の電圧をメイン回路７に供給することを停止する（Ｔ６：電源ＯＦＦ）。
【００５９】
本実施例によれば、注文受付端末装置１は、メカスイッチである電源スイッチを具備せずに、メイン回路７の電源ＯＮを制御する。
【００６０】
具体的には、充電端子４は、充電器２と接続されると、充電用電圧を受け付ける。充電回路５が充電用電圧を検出すると、電源制御回路６は、電池３の電圧を所定の電圧に変圧し、その所定の電圧をメイン回路７に供給する。メイン回路７は、所定の電圧が供給されると、注文を受け付ける処理を実行する。よって、充電用電圧の検出が、メイン回路７の動作を開始させるトリガとなる。
【００６１】
このため、従来、注文を受け付ける処理を開始させるトリガを作成していたメカ機構の電源スイッチを、不要にすることができる。また、従来のように、注文受付端末装置から取り外されたバッテリを管理する必要がなくなる。よって、メカスイッチの電源スイッチが存在することに起因するユーザの不都合、および、バッテリを管理することに起因するユーザの不都合を防止することが可能になる。
【００６２】
また、本実施例では、充電回路５は、充電用電圧を検出したとき、充電監視信号を、電源制御回路６に提供し、メイン回路７は、所定の電圧を受け付けると、電源制御回路６に電源ロック信号を提供し始め、電源制御回路６は、少なくとも充電監視信号と電源ロック信号のいずれか一方を受け付けた場合に、電池の電圧を所定の電圧に変圧し、その所定の電圧をメイン回路７に供給する。
【００６３】
この場合、メイン回路７に所定の電圧が供給された後に注文受付端末装置１が充電器２と分離されても、メイン回路７が電源ロック信号を電源制御回路６に提供していれば、メイン回路７の処理が停止することを防止できる。このため、お客は、メイン回路７が動作している注文受付端末装置１を、充電器２から分離した状態で使用することが可能になる。
【００６４】
なお、上記実施例では、注文受付端末装置１内の充電回路５が、充電用電圧を検出した際に充電監視信号を生成し、その充電監視信号を、電源制御回路６に提供したが、充電器２が、充電用電圧を注文受付端末装置１に供給したか否かを検出し、充電用電圧を注文受付端末装置１に供給したことを検出すると、充電監視信号を、注文受付端末装置１の電源制御回路６に提供してもよい。
【００６５】
図３は、充電器２Ａが充電監視信号を注文受付端末装置１Ａに提供する注文受付システムの一例を示したブロック図である。なお、図３において、図１に示したものと同一のものには同一符号を付してある。以下では、図１に示した注文受付システムと異なる点を中心に説明する。
【００６６】
図３において、充電器２Ａは、充電用電圧生成回路２ａと、充電用端子２ｂと、通信用端子２ｃと、検出回路２ｄと、を含む。検出回路２ｄは、充電電流検出回路２ｄ１と、充電監視信号生成回路２ｄ２と、を含む。注文受付端末１Ａは、電池３と、充電端子４と、充電回路５ａと、電源制御回路６と、メイン回路７と、入出力装置８と、通信インタフェース９と、通信用端子１０と、を含む。
【００６７】
充電回路５ａは、充電端子４の電圧が特定電圧以上のとき、充電端子４が受け付けた充電用電圧を用いて電池３を充電する。
【００６８】
充電用電圧生成回路２ａは、充電用電圧を生成する。
【００６９】
充電用端子２ｂは、注文受付端末装置１Ａが充電器２Ａに装着された際に、充電端子４と接続して、充電用電圧生成回路２ａが生成した充電用電圧を充電端子４に供給する。
【００７０】
通信用端子２ｃは、注文受付端末装置１Ａが充電器２Ａに装着された際に、通信用端子１０と接続する。なお、通信用端子１０は、電源制御回路６（具体的には、ＯＲ回路６ａ）と接続されている。
【００７１】
検出回路２ｄは、充電用電圧を注文受付端末装置１Ａに供給したことを検出すると、充電監視信号を注文受付端末装置１Ａに提供する。
【００７２】
充電電流検出回路２ｄ１は、充電検出回路の一例であり、充電用端子２ｄが充電端子４と接続したときに流れる充電用電流の有無を検出する。充電電流検出回路２ｄ１は、充電用電流を検出すると、すなわち、充電用電圧を注文受付端末装置１Ａに供給したことを検出すると、検出信号を、充電監視信号生成回路２ｄ２に提供する。
【００７３】
充電監視信号生成回路２ｄ２は、信号生成回路の一例であり、充電電流検出回路２ｄ１から検出信号を受け付けると、充電監視信号を、通信用端子２ｃに提供する。このとき、通信用端子２ｃは通信用端子１０と接続しているので、充電監視信号は、通信用端子２ｃおよび通信用端子１０を介して、電源制御回路６（具体的には、ＯＲ回路６ａ）に提供される。
【００７４】
本実施例によれば、充電器２Ａは、注文受付端末装置１Ａと接続された際に注文受付端末装置１Ａに充電用電圧を供給する。検出回路２ｄは、充電用電圧を注文受付端末装置１Ａに供給したことを検出すると、充電監視信号を注文受付端末装置１Ａに提供する。
【００７５】
電源制御回路６は、充電監視信号を受け付けると、電池３の電圧を所定の電圧に変圧し、その所定の電圧をメイン回路７に供給する。メイン回路７は、所定の電圧が供給されると、注文を受け付ける処理を実行する。よって、注文受付端末装置１Ａへの充電用電圧の供給の検出が、メイン回路７の動作を開始させるトリガとなる。
【００７６】
このため、従来、注文を受け付ける処理を開始させるトリガを作成していたメカスイッチである電源スイッチを、不要にすることができる。また、従来のように、注文受付端末装置から取り外されたバッテリを管理する必要がなくなる。よって、メカスイッチの電源スイッチが存在することに起因するユーザの不都合、および、バッテリを管理することに起因するユーザの不都合を防止することが可能になる。
【００７７】
また、電源制御回路６は、少なくとも充電監視信号と電源ロック信号のいずれか一方を受け付けた場合に、電池３の電圧を所定の電圧に変圧し、その所定の電圧をメイン回路７に供給する。
【００７８】
この場合、メイン回路７に所定の電圧が供給された後に注文受付端末装置１Ａが充電器２Ａと分離されても、メイン回路７が電源ロック信号を電源制御回路６に提供していれば、メイン回路７の処理が停止することを防止できる。このため、お客は、メイン回路７が動作している注文受付端末装置１Ａを、充電器２Ａから分離した状態で使用することが可能になる。
【００７９】
上記各実施例によれば、以下に記載するような効果を奏する。
【００８０】
第１の効果は、メカ機構の電源スイッチを排除していることにより、客による、操作ミスやいたずらの防止ができることである。
【００８１】
第２の効果は、メカ機構の電源スイッチを排除していることにより、装置の機構を簡略化でき、防滴および防塵機構を設計しやすくなり、装置としての信頼性を高めることができることである。
【００８２】
第３の効果は、電源ＯＮのトリガ信号をメカ接点スイッチから、充電監視信号にすることにより、メカ接点スイッチのカバーを外してから電源投入を行うなどのわずらわしさを排除できることである。
【００８３】
以上説明した各実施例において、図示した構成は単なる一例であって、本発明はその構成に限定されるものではない。
【図面の簡単な説明】
【００８４】
【図１】本発明の一実施例の注文受付システムを示したブロック図である。
【図２】注文受付端末装置１の電源制御動作を説明するためのタイムチャートである。
【図３】本発明の他の実施例の注文受付システムを示したブロック図である。
【符号の説明】
【００８５】
１、１Ａ  注文受付端末装置
２、２Ａ  充電器
３        電池
４        充電端子
５、５ａ  充電回路
６        電源制御回路
６ａ      ＯＲ回路
６ｂ      電源回路
７        メイン回路
８        入出力装置
９        通信インタフェース
１０        通信用端子
２ａ      充電用電圧生成回路
２ｂ      充電用端子
２ｃ      通信用端子
２ｄ      検出回路
２ｄ１    充電電流検出回路
２ｄ２    充電監視信号生成回路
【図１】
2008046863.tif 000003
【図２】
2008046863.tif 000004
【図３】
2008046863.tif 000005